(57)【要約】【課題】電気的に良好な接触を図る。【解決手段】遊技盤３５が遊技機枠１に取り付けられた状態において、遊技盤３５が仮想線で示す平坦な形状から実線で示すように反った形状となった場合でも、可撓性配線基板４１の電極８１がスプリングコネクタ２４のコネクタピン７８と接触していることから、介在物４２が電極群８１Ａと電極群受容部４３ｂにおける介在物４２のスプリングコネクタ２４の側に位置する面との間で遊技盤３５の反りに倣って圧縮されて遊技盤３５の反りを吸収するので、遊技機枠１の側に位置するコネクタピン７８と遊技盤３５の側に位置する電極８１とが、コイルスプリングからの弾性で、互いに押し付け合って接触し、コネクタピン７８と電極８１との間での電気の伝達が良好となる。【選択図】図１
2005177362.tif 000002
【特許請求の範囲】
【請求項１】
遊技機枠または遊技盤の一方にスプリングコネクタを設け、遊技機枠または遊技盤の他方に電極を設け、遊技盤が遊技機枠に取り付けられることによって、スプリングコネクタのコネクタピンがスプリングコネクタに内蔵されたばねによる弾性下で電極に接触するパチンコ機の電気接続装置構造において、電極と遊技機枠または遊技機の他方との間には、遊技盤の反りを吸収する弾性材からなる介在物が設けられたことを特徴とするパチンコ機の電気接続装置。
【請求項２】
介在物の弾性がコイルスプリングの弾性よりも小さいことを特徴とする請求項１記載のパチンコ機の電気接続装置。
【請求項３】
介在物が遊技機枠または遊技機に支持されたことを特徴とする請求項１記載のパチンコ機の電気接続装置。
【発明の詳細な説明】
【技術分野】
【０００１】
本発明は、電気的に良好な接触を図るパチンコ機の電気接続装置に関する。
【背景技術】
【０００２】
電気接続装置には、次のような構造が知られている。それは、コネクタ設置構造体に設けられたスプリングコネクタのコネクタボディから突出した電極であるコネクタピンを、電極設置構造体に設けられた電極に、コネクタボディに内蔵されたばねによる弾性下で接触する構造である。しかしながら、上記電気接続装置をパチンコ機の遊技機枠に設けられた電気部品と遊技機枠に格納される遊技盤に設けられた電気部品との接続に適用した場合、遊技盤が反ることがあり、遊技盤が反った場合、電気接続装置におけるスプリングコネクタと電極との接続不良が発生する可能性があるという欠点がある。
【特許文献１】特開２００２−３６８１４８号公報
【発明の開示】
【発明が解決しようとする課題】
【０００３】
発明が解決しようとする問題点は、遊技盤の反りにより電気接続装置におけるスプリングコネクタと電極との接続不良が発生するという点である。
【課題を解決するための手段】
【０００４】
本発明の電気接続装置は、遊技機枠または遊技盤の一方にスプリングコネクタを設け、遊技機枠または遊技盤の他方に電極を設け、遊技盤が遊技機枠に取り付けられることによって、スプリングコネクタのコネクタピンがスプリングコネクタに内蔵されたばねによる弾性下で電極に接触するパチンコ機の電気接続装置構造において、電極と遊技機枠または遊技機の他方との間には、遊技盤の反りを吸収する弾性材からなる介在物が設けられたことを最も主要な特徴とする。介在物の弾性がコイルスプリングの弾性よりも小さかったり、介在物が遊技機枠または遊技盤に支持されたりすることも特徴とする。
【発明の効果】
【０００５】
本発明の電気接続装置は、遊技盤が遊技機枠に取り付けられた状態において、遊技盤が平坦な形状から反った形状となった場合でも、介在物が電極と電極を設けた遊技機枠または遊技盤との間で遊技盤の反りに倣って圧縮されて遊技盤の反りを吸収するので、コネクタピンと電極とがスプリングコネクタに内蔵されたコイルスプリングからの弾性で互いに押し付け合って接触し、コネクタピンと電極との間での電気の伝達が良好となるという利点がある。介在物の弾性がコイルスプリングの弾性よりも小さければ、介在物がコネクタピンと接触する電極ごとに対応した凹凸となるので、コネクタピンと電極との間での電気の伝達が、一層、良好になるという利点がある。介在物が遊技機枠または遊技盤に支持されれば、介在物の位置がすれることがなく、介在物が電極を適切に弾性的に支持することができる。
【発明を実施するための最良の形態】
【０００６】
図１−図５は、電気接続装置をパチンコ機に適用した第１実施形態である。図１は、電気接続装置の作用を模式的に示す。図２は、電気接続装置を分解して示す。図３は、電気接続装置の内部構造を示す。図４は、遊技機枠１と遊技盤３５とを分解して示す。図５は、パチンコ機の電気系統を示す。
【０００７】
図４を参照し、電気接続装置を備えたパチンコ機の構造について説明する。パチンコ機の遊技機枠１は、固定枠２を備える。固定枠２は、パチンコ店の図外の遊技機設置構造体に取り付けるための外枠と呼ばれるものであって、前後方向に開放された縦長な長方形の空間を囲む額縁形状である。固定枠２には、前枠または中枠と呼ばれる可動枠３が、左側のヒンジ４で前側横方向に片開き可能にかつ着脱可能（交換可能）に取り付けられる。可動枠３は、前後方向に開放された縦長な長方形の空間を囲む額縁形状の可動枠本体５と、可動枠本体５から内部に延設された遊技主体収納構造体６とを備える。可動枠本体５には、パネル枠７および球皿構造体８が左側に設けられるヒンジ９で前側横方向に片開き可能に取り付けられる。パネル枠７は、前後方向に開放された窓１０を囲む額縁形状である。パネル枠７の裏面には、ガラスまたは合成樹脂からなる光透過性を有する前面パネル１１が、窓１０を覆う格好で取り付けられる。
【０００８】
可動枠本体５の右縦片には施錠装置１２と複数のロック機構１３；１４およびロック解除操作体１５が設けられる。可動枠３やパネル枠７および球皿構造体８が閉じられてロック機構１３；１４で開閉不能に支持された状態において、遊技店の店員が図外のキープレート（鍵）を遊技機枠１の前側から施錠装置１２の鍵穴１６に挿入し、当該キープレートを例えば右側に９０度回転操作すると、固定枠２と可動枠３とのロック機構１３による支持形態が解除される。この支持形態の解除後に、店員が可動枠３を前側に引くことによって、可動枠３はヒンジ４を回転中心として前側に片開きされる。また、上記施錠装置１２の鍵穴１６に挿入されたキープレートが例えば左側に９０度回転操作されると、可動枠３とパネル枠７とのロック機構１３による支持形態が解除される。この支持形態の解除後に、店員がパネル枠７を前側に引くことによって、パネル枠７はヒンジ９を回転中心として前側に片開きされる。このように、パネル枠７が前側に開かれた状態において、店員が可動枠３の前面に設けられたロック解除操作体１５を操作すると、可動枠３と球皿構造体８とのロック機構１４による支持形態が解除される。この支持形態の解除後に、店員が球皿構造体８を前側に引くことによって、球皿構造体８はヒンジ９を回転中心として前側に片開きされる。球皿構造体８の前面には、球収納部１７および発射操作機構１８を備える。球収納部１７は、遊技に使用する球を受ける上方に開放された形態である。球皿構造体８の裏面には、前横樋３１から球を球収納部１７に供給する球取入口１９と、球収納部１７から発射機構２８に球を供給する球供給口２０とを備える。
【０００９】
遊技主体収納構造体６は、前側に開放された遊技主体収納室２１と、遊技主体収納室２１の立壁に前後方向に貫通する中央開口部２２とを備える。遊技主体収納室２１の左側部には、遊技盤３５を取り付ける枠側ヒンジ２３およびスプリングコネクタ２４を備える。枠側ヒンジ２３は、遊技主体収納室２１の左側部に固定的に取りけられたヒンジ躯体の前側に折り曲げられた支持部から上方に突出したヒンジピンを備えた構造である。遊技主体収納室２１の右側部には、遊技主体ロック部材２５を備える。遊技主体ロック部材２５は、遊技主体収納構造体６から前側に突出する円筒状の台座の中心にロック操作体２６を回転可能に備える。ロック操作体２６は、台座から前側に突出した操作軸の端部に固定された横長な形態である。遊技主体収納構造体６における遊技主体収納室２１よりも下部における前面には、発射機構２８、発射レール２９、ファール球取入口部３０、前横樋３１を備える。発射レール２９は、球皿構造体８の球供給口２０から供給された１個の球を受け取る。発射機構２８は、電力供給と遮断とを交互に受けることによって、球収納部１７から発射レール２９に供給された１個の球を遊技盤３５の遊技領域に向けて発射する。発射レール２９は、発射機構２８から発射された球を、遊技盤３５における発射通路の入口に誘導する。ファール球取入口部３０は、遊技盤３５の発射通路から落下する球を取り込む。ファール球取入口部３０に取り込まれた球は、前横樋３１を経由して球取入口１９に排出される。前横樋３１は、可動枠３の裏部に取り付けられた払出機構から払い出された球を球取入口１９に排出する。可動枠３の裏部には、タンクを備える。タンクは、遊技機設置構造体の補給系統から供給された球を貯蔵し、貯蔵した球を払出機構の球払出動作に伴い払出機構に供給する部品である。
【００１０】
パチンコ機の遊技盤３５は、裏面に、セット板と呼ばれる部品取付構造体３６を備える。部品取付構造体３６は、遊技盤３５の前面のガイドレールで囲まれた内側の遊技領域に設けられた入賞部品に取り込まれた後に当該入賞部品から遊技盤３５の裏側に排出された球を、下方に誘導して排出する。遊技盤３５の裏側には、遊技盤３５の前面に設けられた遊技部品の裏機構が、遊技盤３５に形成された図外の逃孔や部品取付構造体３６に形成された逃孔３７を経由して突出する。遊技盤３５の裏側に突出した裏機構を有する遊技部品は、複数の図柄表示器３８；３９、可動部品４０、図外の複数の入賞部品、図外のサイドランプなどである。図柄表示器３８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５５を備える。図柄表示器３９は、遊技領域の右側下部に設けられ、複数の図柄の印刷された図柄表示体をステップモータで回転する構造であって、裏機構としてステップモータを備える。部品取付構造体３６の裏面には、可撓性配線基板４１と介在物４２と支持体４３と盤側ヒンジ４４と主制御装置５３および複合制御装置５４が設けられる。可撓性配線基板４１は、遊技盤３５に設けられた電気部品と遊技機枠１に設けられた電気部品とを接続する多数本の箔形状の電線が、可撓性を有する合成樹脂基板に付設された構造である。盤側ヒンジ４４は、遊技盤３５に固定的に取り付けられたヒンジ躯体の前側に折り曲げられた支持部から上方に突出したヒンジピンを備えた構造である。遊技盤３５の盤側ヒンジ４４と反対側の側部には、取付部４５を備える。取付部４５にはロック挿入孔４６を備える。そして、遊技盤３５の前面が前側に向けられ、遊技盤３５の盤側ヒンジ４４の設けられた片側が遊技機枠１の前側から遊技主体収納室２１に挿入され、盤側ヒンジ４４のヒンジ孔が枠側ヒンジ２３のヒンジピンに上方から挿入されると、遊技盤３５が遊技機枠１に盤側ヒンジ４４と枠側ヒンジ２３とを回転中心として回転可能に取り付けられる。その後、遊技盤３５が遊技機枠１の方に押されると、遊技主体ロック部材２５のロック操作体２６が遊技盤３５の取付部４５のロック挿入孔４６に後側から挿入されて前側に突出する。その状態において、作業者がロック操作体２６を例えば右方向に９０度回転操作すると、ロック操作体２６がロック挿入孔４６の周りにおける取付部４５と係合し、遊技盤３５が遊技主体収納室２１に取り付けられる。遊技盤３５が取り付けられた後、球皿構造体８およびパネル枠７が閉じられる。これによって、パチンコ機が構成される。このパチンコ機は、遊技盤３５が遊技機枠１の内部に格納され、遊技盤３５の前側がパネル枠７で覆われ、遊技盤３５の遊技領域が遊技機枠１の前側から前面パネル１１を通して視認し得る形態である。
【００１１】
図５を参照し、パチンコ機の電気系統について説明する。主制御装置５３と複合制御装置５４と図柄制御装置５５と払出制御装置５６および発射制御装置５７のそれぞれに格納されたマイクロコンピュータが電力供給を受けて起動し、図柄制御装置５５が画像制御信号を図柄表示器３８を駆動し、図柄表示器３８が図柄制御信号に対応する画像を表示する。主制御装置５３には、入力機器と出力機器とが配線で接続される。主制御装置５３の入力機器は、入賞球検出器５８である。入賞球検出器５８には、例えば、一般入賞球検出器、作動入賞球検出器、始動入賞球検出器、普通入賞球検出器、特別入賞球検出器などがある。主制御装置５３の出力機器は、部品駆動源５９と遊技店の管理を行うホールコンピュータ６０である。部品駆動源５９には、図４に示す可動部品４０の駆動源、図４に示す図柄表示器３９のステップモータ、入賞部品における電動チューリップの駆動源、入賞部品における可変入賞部品の駆動源などがある。複合制御装置５４は、主制御装置５３と配線で接続される。複合制御装置５４には、表示灯６１やスピーカ６２などの出力機器が配線で接続される。表示灯６１は、遊技機枠１の前部または遊技盤３５の前部に設けられ、点灯、点滅、消灯で遊技演出を行う部品である。スピーカ６２は遊技機枠１に設けられて音で遊技演出を行う部品である。払出制御装置５６は、主制御装置５３と配線で接続される。払出制御装置５６には、払出機構の払い出される球を検出する払出球検出器６３と払出機構のタンクの側に球切れの発生があることを検出する球切れ検出器６４および払出機構の球皿構造体８の側に球が満タンであることを検出する満タン検出器６５などの入力機器と、払出機構の球を払い出す動作を行ったり停止したりする払出駆動源６６としての出力機器とが配線で接続される。発射制御装置５７は、払出制御装置５６と配線で接続される。発射制御装置５７には、発射操作機構１８の球の発射を停止するための発射停止検出器６７と発射操作機構１８への遊技者による操作量を可変抵抗値として出力する可変抵抗器６８および発射操作機構１８への遊技者の接触を検出する接触検出器６９などの入力機器と、発射機構２８の発射駆動源７０としての出力機器とが配線で接続される。この場合、主制御装置５３、複合制御装置５４、図柄制御装置５５、入賞球検出器５８、図柄表示器３９、遊技盤３５に設けられた表示灯６１、遊技盤３５に設けられたスピーカ６２それぞれを接続する配線が図４に示す可撓性配線基板４１に付設された箔形状の配線で構成される。
【００１２】
図２を参照し、電気接続装置を構成する部品について説明する。電気接続装置は、遊技主体収納構造体６、スプリングコネクタ２４、遊技盤３５、可撓性配線基板４１、介在物４２、支持体４３から構成される。遊技主体収納構造体６は、コネクタボディ逃孔７１とねじ取付孔７２とを備える。コネクタボディ逃孔７１は、スプリングコネクタ２４と対応する個数であって、遊技主体収納構造体６から突出したリブ７３で囲まれた形態で、遊技主体収納構造体６の前後方向に貫通する。ねじ取付孔７２は、１つのコネクタボディ逃孔７１に対し上下に位置し、遊技主体収納構造体６の前後方向に貫通する。複数のスプリングコネクタ２４は、縦長な板状の回路基板７９に挿入実装された形態で、回路基板７９の表面に縦方向に互いに離された形態で設けられる。スプリングコネクタ２４は、電気絶縁材からなるコネクタボディ７５を備える。コネクタボディ７５は、コネクタボディ７５から突出した一対の取付足７６を備える。スプリングコネクタ２４が回路基板７９に実装されることによって、取付足７６が回路基板７９の表面に接触する。取付足７６は、貫通孔であるねじ挿入孔７７を備える。回路基板７９には、取付足７６のねじ挿入孔７７と対応する位置に、ねじ挿入孔８０を備える。可撓性配線基板４１は、可撓性を有する合成樹脂基板の表面に、スプリングコネクタ２４のコネクタピン７８と対応する個数のラウンドと呼ばれる電極８１を互いに離れた形態に備える。各電極８１からは合成樹脂基板の表面に付設された多数本の箔形状の電線８２が個別に延設される。電線８２の表面は、レジスト膜のような電気絶縁材で被覆され、人の接触から保護される。可撓性配線基板４１において、電極８１がスプリングコネクタ２４と対応する群を構成しているので、これらの電極群８１Ａは可撓性配線基板４１の端部から内部に形成されたスリット８１Ｂで互いに分離された舌片形状に形成される。介在物４２は、ゴムまたは弾性の有る合成樹脂のような弾性材から板状に構成され、遊技盤３５と電極群８１Ａとの間に挿入されることによって、電極群８１Ａをスプリングコネクタ２４の方に弾性で押すことによって、遊技盤３５の反りを吸収する。介在物４２における遊技盤３５の側に位置する面には、内部に窪む凹部４２ａを備える。支持体４３は、合成樹脂からなる縦長な板状であって、部品取付構造体３６におけるスプリングコネクタ２４の側に位置する面に重ね合わされ、タッピングスクリューのような止ねじ４３ａが介在物４２および部品取付構造体３６のそれぞれに形成された図外のねじ挿入孔から遊技盤３５に締結されることによって、遊技盤３５に取り付けられる。支持体４３のスプリングコネクタ２４の側に位置する面には、電極群受容部４３ｂおよび介在物受容部４３ｃを備える。電極群受容部４３ｂは、スプリングコネクタ２４の側に位置する面から電極群８１Ａを挿入可能な側方に開口した溝を囲む格好で突出した周壁４３ｄと、周壁４３ｄに形成された切欠部４３ｅとにより構成される。切欠部４３ｅは、電極群８１Ａが電極群受容部４３ｂの溝に挿入された場合、電極群８１Ａにおける複数の電極８１を露出させる開口である。介在物受容部４３ｃは、電極群受容部４３ｂにおける支持体４３のスプリングコネクタ２４の側に位置する面から電極群受容部４３ｂにおける溝の内部に突出し、介在物４２の凹部４２ａが介在物受容部４３ｃに嵌め込まれることによって、介在物４２を電極群受容部４３ｂの内部で支持する。
【００１３】
図３を参照し、電気接続装置における遊技主体収納構造体６とスプリングコネクタ２４との組立構造、電気接続装置における遊技盤３５と可撓性配線基板４１と介在物４２と支持体４３との組立構造について説明する。遊技主体収納構造体６とスプリングコネクタ２４との組立構造は、回路基板７９に実装されたスプリングコネクタ２４のコネクタボディ７５が遊技主体収納構造体６の裏側からコネクタボディ逃孔７１に挿入されることによって、取付足７６のねじ挿入孔７７が遊技主体収納構造体６のねじ取付孔７２と同軸となる。そして、タッピングスクリューのような止ねじ８７が、回路基板７９のねじ挿入孔８０から取付足７６のねじ挿入孔７７を経由して遊技主体収納構造体６のねじ取付孔７２に締結されることによって、スプリングコネクタ２４が遊技主体収納構造体６に取り付けられ、コネクタピン７８がコネクタボディ逃孔７１より突出した形態となる。
【００１４】
スプリングコネクタ２４の内部構造は、周知であるが、次のようになっている。コネクタボディ７５は、コネクタピン７８と端子９０およびコイルスプリング８３を備える。コネクタピン７８は、コネクタボディ７５の外側とコネクタボディ７５の内部に形成された収納空間部９１とにわたり移動可能に挿入される。コネクタピン７８は、収納空間部９１に挿入された中間部に、鍔９２を備える。端子９０は、コネクタボディ７５に固定的に設けられる。端子９０のコネクタボディ７５から外側に突出した部分が回路基板７９および回路基板７９の箔状の電極９３を貫通し、電極９３よりも外側に突出した端子９０の部分と回路基板７９の電極９３とが半田９４で接続されることによって、スプリングコネクタ２４が回路基板７９に挿入実装される。コネクタボディ７５の収納空間部９１に収納された導電性の有るコイルスプリング８３の一端がコネクタピン７８の鍔９２に接触し、コイルスプリング８３の他端が端子９０に接触した形態であって、コイルスプリング８３がコネクタピン７８をコネクタボディ７５から突出する方向にコイルスプリング８３の弾性で押し、鍔９２がコネクタボディ７５に形成されたコネクタピン挿入孔９６の周りのコネクタボディ７５に接触し、コネクタピン７８のコネクタボディ７５からの突出量が規制された構造である。
【００１５】
遊技盤３５と可撓性配線基板４１と介在物４２と支持体４３との組立構造は、介在物４２が部品取付構造体３６におけるスプリングコネクタ２４の側に位置する面に重ね合わされた状態において止ねじ４３ａで遊技盤３５に取り付けられる。そして、介在物４２が支持体４３の電極群受容部４３ｂに取り付けられた後、可撓性配線基板４１の電極８１がスプリングコネクタ２４の側に向けられた格好で、電極群８１Ａが支持体４３の電極群受容部４３ｂに挿入される。この場合、介在物４２が電極群８１Ａと電極群受容部４３ｂにおける介在物４２のスプリングコネクタ２４の側に位置する面との間に取り込まれる。これによって、電極群８１Ａが支持体４３に装着されて介在物４２でスプリングコネクタ２４の側に弾性的に支持され、可撓性配線基板４１の電極８１が支持体４３の切欠部４３ｅに露出する。介在物４２の弾性は、スプリングコネクタ２４のコイルスプリング８３の弾性よりも小さい。
【００１６】
第１実施形態によれば、図３に示す枠側ヒンジ２３と盤側ヒンジ４４との嵌合、ロック操作体２６と取付部４５との係合によって、遊技盤３５が遊技機枠１に取り付けられた状態において、遊技盤３５が図１に仮想線で示す平坦な形状から図１に実線で示すように反った形状となった場合でも、可撓性配線基板４１の電極８１がスプリングコネクタ２４のコネクタピン７８と接触していることから、介在物４２が電極群８１Ａと電極群受容部４３ｂにおける介在物４２のスプリングコネクタ２４の側に位置する面との間で遊技盤３５の反りに倣って圧縮されて遊技盤３５の反りを吸収する。したがって、遊技機枠１の側に位置するコネクタピン７８と遊技盤３５の側に位置する電極８１とが、図３に示すコイルスプリング８３からの弾性で、互いに押し付け合って接触し、コネクタピン７８と電極８１との間での電気の伝達が良好となるという利点がある。介在物４２の弾性は、スプリングコネクタ２４のコイルスプリング８３の弾性よりも小さいので、介在物４２がコネクタピン７８と接触する電極８１ごとに対応した凹凸となるので、コネクタピン７８と電極８１との間での電気の伝達が、一層、良好になるという利点がある。介在物４２が介在物受容部４３ｃで電極群受容部４３ｂに支持されていることによって、介在物４２が遊技盤３５に支持されているので、介在物４２の位置がすれることがなく、介在物４２が電極群８１Ａを適切に弾性的に支持することができる。
【００１７】
図６は、第２実施形態に係る電気接続装置の断面を示す。電気絶縁材からなる板状の保護体４７が、支持体４３におけるスプリングコネクタ２４の側を被覆して、タッピングスクリューのような止ねじ４８で遊技盤３５に取り付けられる。保護体４７には、スプリングコネクタ２４のコネクタピン７８を挿入させて電極８１に接触させるコネクタピン挿入孔４９が形成される。コネクタピン挿入孔４９は、保護体４７の部品取付構造体３６の側に位置する面から保護体４７のスプリングコネクタ２４と対向する側の面に行くにしたがって徐々に孔径が大きくなるすり鉢形状の斜孔として形成される。コネクタピン挿入孔４９は、可撓性配線基板４１の電極８１と対応する個数である。第２実施形態によれば、スプリングコネクタ２４のコネクタピン７８と接触する相手側である電極８１が、電極８１の設けられた遊技盤３５に取り付けられた電気絶縁材からなる保護体４７で被覆されているので、電極８１が人の接触から保護され、コネクタピン７８と電極８１との間での電気の伝達が良好となるという利点がある。保護体４７の厚さが厚ければ厚いほど、電極８１を人の接触から保護することができ、コネクタピン挿入孔４９における保護体４７のスプリングコネクタ２４と対向する側の面での口径が小さければ小さいほど、電極８１を人の接触から保護することができるが、第２実施形態では、保護体４７の厚さとコネクタピン挿入孔４９における保護体４７のスプリングコネクタ２４と対向する側の面での口径とは、人の指がコネクタピン挿入孔４９における保護体４７のスプリングコネクタ２４と対向する側の面に押し付けられて、指の表面の一部が保護体４７の表面からコネクタピン挿入孔４９に突出しても、当該コネクタピン挿入孔４９に突出した指の表面の一部が電極８１に触れない寸法に設定されている。
【産業上の利用可能性】
【００１８】
遊技機枠１と遊技盤３５とが枠側ヒンジ２３と盤側ヒンジ４４とからなるヒンジで回転可能に取り付けられていない構造であってもよい。スプリングコネクタ２４が遊技盤３５に設置され、電極８１が遊技機枠１に設置された構造であってもよい。可撓性配線基板４１がスリット８１Ｂで互いに分離された電極群８１Ａを構成することなく板状のままであって、介在物４２が可撓性配線基板４１の電極８１の全部にわたる帯板状のままで可撓性配線基板４１と遊技盤３５との間に挟み込まれた構造であってもよい。この場合、電極８１を傷めることのない位置で、図外のコ字形をした固定具が可撓性配線基板４１と介在物４２および部品取付構造体３６とを貫通して遊技盤３５に結合されることによって、介在物４２および可撓性配線基板４１を遊技盤３５に固定してもよい。介在物４２がゴムまたは弾性合成樹脂のような弾性材料から形成された場合、介在物４２の内部に独立気泡または連続気泡を有する構造でもよい。介在物４２は、コイルスプリングやリーフスプリングであってもよい。介在物受容部４３ｃに置換して介在物４２を接着剤で取り付けてもよい。
【図面の簡単な説明】
【００１９】
【図１】電気接続装置を示す模式図（第１実施形態）。
【図２】電気接続装置を示す分解斜視図（第１実施形態）。
【図３】電気接続装置の内部構造を示す一部破断側面図（第１実施形態）。
【図４】遊技機枠と遊技盤とを示す分解斜視図（第１実施形態）。
【図５】パチンコ機の電気系統を示すブロック図（第１実施形態）。
【図６】電気接続装置を示す模式図（第２実施形態）。
【符号の説明】
【００２０】
１    遊技機枠
２３  枠側ヒンジ
２４  スプリングコネクタ
３５  遊技盤
４２  介在物
４３  支持体
４７  保護体
７８  コネクタピン
８０  ねじ挿入孔
８１  電極
【図１】
2005177362.tif 000003
【図２】
2005177362.tif 000004
【図３】
2005177362.tif 000005
【図４】
2005177362.tif 000006
【図５】
2005177362.tif 000007
【図６】
2005177362.tif 000008